(57)【要約】【課題】誤接続の確認作業に必要な時間を短縮可能であると共に、誤接続の確認作業に必要な湯水の量をより低減することが可能な排水システム、並びに、そのような排水システムで使用可能なドレン排水切り替えユニットを提供することを課題とする。【解決手段】内部側の所定部分を流れる水流の有無を検知可能な水流検知手段と、内部側の所定部分を流れる水流の温度を検知可能な水温検知手段の少なくとも一方を備えたドレン排水切り替えユニット４３，１４３を、熱源機１と浴槽１６の間に取付ける。そして、水流検知手段が検知した情報及び／又は水温検知手段が検知した情報に基づいて、ドレン排水切り替えユニット４３，１４３に接続された配管が正しく接続されているか否かを判別する。【選択図】図３
2014044033.tif 000002
【特許請求の範囲】
【請求項１】
燃料を燃焼して燃焼ガスを生成するバーナと、主に燃焼ガスの潜熱を回収する熱交換器とを少なくとも備えた熱源機と、当該熱源機と浴槽の間に取付けられるドレン排水切り替えユニットとを有し、
前記ドレン排水切り替えユニットは、浴槽の湯水を取り出して前記熱交換器を経由させた後に浴槽に戻す追い焚き運転を実施するための風呂循環経路と、前記熱交換器で発生したドレンを外部へ排出するためのドレン排出経路とを切替え可能なものであり、
さらに、前記ドレン排水切り替えユニットは、前記ドレン排水切り替えユニット自身の内部側の所定部分を流れる水流の有無を検知可能な水流検知手段と、前記ドレン排水切り替えユニット自身の内部側の所定部分を流れる水流の温度を検知可能な水温検知手段との少なくとも一方を備えたものであって、
前記水流検知手段が検知した情報及び／又は前記水温検知手段が検知した情報に基づいて、前記ドレン排水切り替えユニットに接続された配管が正しく接続されているか否かを判別可能であることを特徴とする排水システム。
【請求項２】
前記水流検知手段は、流量センサ又は流量スイッチであることを特徴とする請求項１に記載の排水システム。
【請求項３】
前記風呂循環経路は、浴槽から前記熱源機側に湯水を送る風呂戻り管と、前記熱源機側から浴槽へ湯水を送る風呂往き管とを有しており、
前記風呂往き管には、内部を流れる水流の温度を検知可能な熱源機側温度検知手段が設けられており、
前記熱源機側温度検知手段と前記水温検知手段とがそれぞれ検知した情報を比較し、比較した情報に基づいて前記ドレン排水切り替えユニットに接続された配管が正しく接続されているか否かを判別することを特徴とする請求項１又は２に記載の排水システム。
【請求項４】
前記ドレン排水切り替えユニットでの経路の切替え前に検知された情報と、前記ドレン排水切り替えユニットでの経路の切替え後に検知された情報に基づいて、前記ドレン排水切り替えユニットに接続された配管が正しく接続されているか否かを判別することを特徴とする請求項１乃至３のいずれかに記載の排水システム。
【請求項５】
前記ドレン排水切り替えユニットの配管取付部のうち、所定の配管取付部の形状が他の配管取付部の形状と異なることを特徴とする請求項１乃至４のいずれかに記載の排水システム。
【請求項６】
請求項１乃至５のいずれかに記載の排水システムに利用可能であることを特徴とするドレン排水切り替えユニット。
【発明の詳細な説明】
【技術分野】
【０００１】
本発明は、熱源機の運用時に発生した不用水を排水するための排水システムに関するものであり、より詳細には、配管の誤接続を検知可能な排水システムに関する。また、そのような排水システムで使用可能なドレン排水切り替えユニットに関する。
【背景技術】
【０００２】
燃焼用のバーナを収容した燃焼室を有し、燃焼室内に外部から燃焼用空気を供給しつつバーナの点火及び燃焼を行う熱源機が広く知られている。このような熱源機には、浴槽へ湯水を注湯する落とし込み動作や風呂の追い焚き動作等が可能な多機能型のものがある。
【０００３】
そして近年、バーナで燃焼動作を実施した際に発生する熱の熱交換効率を向上するべく、燃焼ガスの顕熱だけでなく潜熱まで回収する潜熱回収型の熱源機が市場に普及している。この潜熱回収型の熱源機は、燃焼ガスの主に顕熱を回収する一次熱交換器に加え、潜熱を回収する二次熱交換器が具備されており、高い熱交換効率を有している。
【０００４】
このような熱源機では、バーナで燃焼動作を実施することで発生する燃焼ガスを二次熱交換器に導入して潜熱を回収するので、二次熱交換器に導入された燃焼ガス中の水蒸気が低温となって液化し、ドレンが発生してしまう。そして、発生したドレンは、燃焼ガスに晒されることで燃焼ガスから窒素酸化物（ＮＯｘ）や硫黄酸化物（ＳＯｘ）を取り込むので、強い酸性を呈することとなる。つまり、このような潜熱回収型の熱源機では、構造上、強い酸性を呈するドレンが発生してしまう。
【０００５】
この酸性のドレンは、処理を行うことなくそのまま外部に排水すると、環境等に対して悪影響を及ぼす懸念がある。そのため、潜熱回収型の熱源機には、ドレンを外部に導くドレン排出系統を設け、そのドレン排出系統の中途に酸性のドレンを中和するための中和装置が備えられたものがある。この種の熱源機では、二次熱交換器で発生したドレンを中和装置で中和してから外部に排水しているため、環境等に対して悪影響を及ぼすことがない。
【０００６】
ところで、近年、家屋や建物の多様化が進んでおり、それに伴って熱源機の設置環境も多様化している。このような設置環境の多様化により、熱源機を設置したときにドレンの排出に使用する専用の配管を設けることができない場合がある。この場合、ドレンの排出動作と他の動作、例えば、風呂の追い焚き動作で配管を共用することがある。すなわち、ドレンの排出動作ではドレンを流すために使用した配管を、風呂の追い焚き動作では浴槽と熱源機の間で湯水を循環させるために使用することがある。
【０００７】
このような配管を共用する構造としては、例えば、特許文献１に開示されたものがある。特許文献１の熱源機（給湯風呂装置）では、浴槽から熱交換器側へ向かって湯を流すための戻り管と、熱交換器側から浴槽へ向かって湯を流すための往管とを備えた循環流路を設け、往管の中途部分にドレン排水切り替えユニットを組み込んでいる。そして、このドレン排水切り替えユニットによって、熱交換器側から浴槽へと連なる流路と、熱交換器側から浴室の排水口へと連なる流路とを切替え可能となっている。つまり、浴槽の湯水を循環流路で循環させつつ加熱する風呂の追い焚き動作を実施する場合には、熱交換器側から浴槽へと連なる流路に切り換えて使用しており、ドレンを浴室の排水口へと排出する場合には、熱交換器側から浴室の排水口へと連なる流路に切り換えて使用している。
【０００８】
したがって、ドレン排水切り替えユニットには、熱交換器側に位置する往管の一部と、浴槽側に位置する往管の一部と、浴室の排水口へと連なる配管との３つの配管が接続されることとなる。詳説すると、往管の湯水の流れ方向下流側の部分は、上記したように、ドレン排水切り替えユニットが位置する部分で２つの方向、つまり、浴槽へ向かう方向と風呂の排水口へ向かう方向に分岐する。このため、ドレン排水切り替えユニットには、上流側の１つの配管と下流側の２つの配管からなる３つの配管が接続されることとなる。
【０００９】
このようにドレン排水切り替えユニットに複数の配管を接続する構造では、熱源機の設置作業時等において各種配管を接続するとき、作業者が配管を誤接続してしまうおそれがある。すなわち、本来ならば熱交換器側から延びる配管（熱交換器側に位置する往管の一部）を接続しなければならない部位に、浴槽側へ延びる配管（浴槽側に位置する往管の一部）を接続してしまうといったように、作業者が配管の接続位置を誤ってしまう可能性がある。
【００１０】
そこで、特許文献１に開示された熱源機では、作業者による配管の誤接続を防止するため、浴室の排水口へと連なる配管の径を他の２つの配管の径よりも小さくしている。すなわち、３つの配管のうち、浴室の排水口へと連なる配管の径だけを小さくすることにより、作業者が浴室の排水口へと連なる配管の取り付け位置を誤ることのない構造としている。
【００１１】
さらに、残る２つの配管の誤接続を防止するため、特許文献１に開示された熱源機では、誤接続の検知動作を実施している。すなわち、配管を接続した後に浴槽に貯留した湯水を循環経路に流す動作である。
具体的に説明すると、この動作では、まず、ドレン排水切り替えユニットで流路の切り替えを実施する。このとき、仮に配管が正常に接続されているのであれば、熱交換器側から浴室の排水口へと連なる流路が形成されるように流路を切り替える。そして、その状態で浴槽内に貯留した湯水を循環経路へと流入させる。すると、仮に配管が正常に接続されているのであれば、循環経路に流入した浴槽の湯水が熱交換器側へと流れ、熱交換器側から浴室の排水口へと流れる。すなわち、浴槽の湯水が浴室の排水口から排出されることとなる。対して、仮に配管が正常に接続されていないのであれば、浴室の排水口から浴槽の湯水が排出されないこととなる。つまり、浴室の排水口へと流れる浴槽の湯水の有無を作業者が目視で視認することにより、配管の接続が正常であるか否かを確認できるようにしている。
【先行技術文献】
【特許文献】
【００１２】
【特許文献１】特開２０１２−７７９９４号公報
【発明の概要】
【発明が解決しようとする課題】
【００１３】
しかしながら、特許文献１に開示された誤接続を防止するための動作は、浴槽に湯水を貯留した状態で実施する必要があるので、予め浴槽に所定量の湯水を貯留するための時間が必要となる。そのため、熱源機の設置作業に比較的長い時間が必要となり、熱源機の設置作業の効率が悪くなってしまうという問題がある。
加えて、特許文献１に開示された誤接続を防止するための動作は、誤接続の確認動作のために浴槽に一定量以上の湯水を貯留する必要があり、大量の湯水を使用するので、水資源の有効活用といった観点からも改善の余地がある。
【００１４】
そこで本発明は、上記した従来技術の問題に鑑み、誤接続の確認作業に必要な時間を短縮可能であると共に、誤接続の確認作業に必要な湯水の量をより低減することが可能な排水システムを提供することを課題とする。また、そのような排水システムで使用可能なドレン排水切り替えユニットを提供することを課題とする。
【課題を解決するための手段】
【００１５】
上記課題を解決するための請求項１に記載の発明は、燃料を燃焼して燃焼ガスを生成するバーナと、主に燃焼ガスの潜熱を回収する熱交換器とを少なくとも備えた熱源機と、当該熱源機と浴槽の間に取付けられるドレン排水切り替えユニットとを有し、前記ドレン排水切り替えユニットは、浴槽の湯水を取り出して前記熱交換器を経由させた後に浴槽に戻す追い焚き運転を実施するための風呂循環経路と、前記熱交換器で発生したドレンを外部へ排出するためのドレン排出経路とを切替え可能なものであり、さらに、前記ドレン排水切り替えユニットは、前記ドレン排水切り替えユニット自身の内部側の所定部分を流れる水流の有無を検知可能な水流検知手段と、前記ドレン排水切り替えユニット自身の内部側の所定部分を流れる水流の温度を検知可能な水温検知手段との少なくとも一方を備えたものであって、前記水流検知手段が検知した情報及び／又は前記水温検知手段が検知した情報に基づいて、前記ドレン排水切り替えユニットに接続された配管が正しく接続されているか否かを判別可能であることを特徴とする排水システムである。
【００１６】
本発明の排水システムでは、ドレン排水切り替えユニットが備えた水流検知手段や水温検知手段によって検知された情報に基づいて、ドレン排水切り替えユニットに接続された配管が正しく接続されているか否かを判別可能となっている。すなわち、ドレン排水切り替えユニットの内部を流れる湯水の流量や温度にかかる情報や、湯水の流量や温度が検知可能であるか否かといった情報に基づいて、ドレン排水切り替えユニットに対する配管接続の正誤を判別している。したがって、本発明の排水システムでは、熱源機側からドレン排水切り替えユニット側へと湯水を流すだけで配管接続の正誤の判別が可能であり、浴槽に貯留した湯水を循環させる必要はない。
つまり、本発明の排水システムでは、浴槽に所定量（循環させるために必要な量）の湯水を貯留する必要がないので、浴槽に湯水を貯留するための時間を必要とせず、比較的短時間で配管接続の正誤を判別可能となる。また、浴槽に湯水を貯留する必要がなく、湯水を流すだけでよいので、配管接続の正誤の判別に必要な湯水の量を減少させることができる。
【００１７】
前記水流検知手段は、流量センサ又は流量スイッチであることが望ましい（請求項２）。
【００１８】
請求項３に記載の発明は、前記風呂循環経路は、浴槽から前記熱源機側に湯水を送る風呂戻り管と、前記熱源機側から浴槽へ湯水を送る風呂往き管とを有しており、前記風呂往き管には、内部を流れる水流の温度を検知可能な熱源機側温度検知手段が設けられており、前記熱源機側温度検知手段と前記水温検知手段とがそれぞれ検知した情報を比較し、比較した情報に基づいて前記ドレン排水切り替えユニットに接続された配管が正しく接続されているか否かを判別することを特徴とする請求項１又は２に記載の排水システムである。
【００１９】
かかる構成では、熱源機側温度検知手段と水温検知手段からなる２つの温度検知手段がそれぞれ検知した情報を比較し、比較した情報に基づいて配管接続の正誤を判別している。すなわち、水流検知手段を設けていない部分であっても、湯水の流れ方向を検知可能となる。
例えば、一方の温度検知手段が検知した温度が他方の温度検知手段が検知した温度と比べて高い場合、高い温度を検知した温度検知手段が位置する部分の配管のみを湯水が通過していることが考えられる。対して、一方の温度検知手段が検知した温度が他方の温度検知手段が検知した温度とが同じ（又は略同じ）であり、検知された温度がいずれも比較的高い場合、一方の温度検知手段が位置する部分の配管と、他方の温度検知手段が位置する部分の配管の双方を湯水が通過していることが考えられる。このように、湯水の温度にかかる情報から湯水の流れ方向を検知することで、水流検知手段を設けていない部分であっても湯水の流れ方向が検知可能となる。
【００２０】
請求項４に記載の発明は、前記ドレン排水切り替えユニットでの経路の切替え前に検知された情報と、前記ドレン排水切り替えユニットでの経路の切替え後に検知された情報に基づいて、前記ドレン排水切り替えユニットに接続された配管が正しく接続されているか否かを判別することを特徴とする請求項１乃至３のいずれかに記載の排水システムである。
【００２１】
かかる構成では、ドレン排水切り替えユニットで経路の切替え動作を実施し、その前後でそれぞれ水流検知手段や水温検知手段によって各種情報を取得している。このことにより、水流検知手段や水温検知手段の数を増加させることなく、より多くの湯水の流れに関する情報を取得できる。
【００２２】
請求項５に記載の発明は、前記ドレン排水切り替えユニットの配管取付部のうち、所定の配管取付部の形状が他の配管取付部の形状と異なることを特徴とする請求項１乃至４のいずれかに記載の排水システムである。
【００２３】
かかる構成によると、所定の配管取付部の形状が他の配管取付部の形状と異なっており、作業者が所定の配管取付部に取り付ける配管を間違えない構造となっている。換言すると、ドレン排水切り替えユニットに取り付ける複数の配管のうち、少なくとも１つは正しい位置に取り付けられることとなる。このことにより、ドレン排水切り替えユニットにおける配管の誤接続が予測される部分の最大数を少なくできる。具体的に説明すると、ドレン排水切り替えユニットの３つの取付口に３つの配管を接続する場合、最大３箇所で配管を誤接続してしまうおそれがある。すなわち、３つの取付口のそれぞれに誤った配管が取り付けられてしまう場合である。これに対して、少なくとも１つの配管が正しい位置に取り付けられるのであれば、配管を誤接続してしまうおそれのある箇所は最大で２箇所となる。
このように、配管の誤接続が予測される部分の最大数を少なくすると、配管接続の正誤の判別がより容易となるのでより好ましい。
【００２４】
請求項６に記載の発明は、請求項１乃至５のいずれかに記載の排水システムに利用可能であることを特徴とするドレン排水切り替えユニットである。
【００２５】
本発明のドレン排水切り替えユニットは、請求項１乃至４のいずれかに記載の排水システムにおいて、浴槽に湯水を貯留することなく接続された配管の接続位置の正誤を判別できる。すなわち、比較的短時間で多量の湯水を使用することなく配管接続の正誤を判別できる。
【発明の効果】
【００２６】
本発明の排水システムでは、浴槽に湯水を貯留することなく配管接続の正誤を判別可能となっている。このため、湯水を貯留するための時間を必要とせず、配管接続の正誤の判別に必要な時間を短縮することができるという効果がある。また、浴槽に湯水を貯留する必要がなく、配管接続の正誤を判別するために多量の湯水を必要としないので、湯水を効率よく使用できるという効果がある。
本発明のドレン排水切り替えユニットにおいても同様に、比較的短時間で多量の湯水を使用することなく配管接続の正誤を判別できるという効果がある。
【図面の簡単な説明】
【００２７】
【図１】本発明の実施形態にかかる排水システムを形成する熱源機、ドレン排水切り替えユニット、浴槽を示す作動原理図である。
【図２】図１のドレン排水切り替えユニットの構造を模式的に示す説明図である。
【図３】図１の熱源機、ドレン排水切り替えユニット、浴槽の間で配管が正しく接続された状態を示す模式図である。
【図４】図１の熱源機、ドレン排水切り替えユニット、浴槽の間で配管が誤って接続された状態を示す模式図である。
【図５】図１の熱源機、ドレン排水切り替えユニット、浴槽の間で配管が誤って接続された状態を示す模式図であり、図４とは異なる接続状態を示す。
【図６】図１の熱源機、ドレン排水切り替えユニット、浴槽の間で配管が誤って接続された状態を示す模式図であり、図４、図５とは異なる接続状態を示す。
【図７】図１の熱源機、ドレン排水切り替えユニット、浴槽の間で配管が誤って接続された状態を示す模式図であり、図４乃至図６とは異なる接続状態を示す。
【図８】図１の熱源機、ドレン排水切り替えユニット、浴槽の間で配管が誤って接続された状態を示す模式図であり、図４乃至図７とは異なる接続状態を示す。
【図９】図１の熱源機、ドレン排水切り替えユニット、浴槽の間で配管が誤って接続された状態を示す模式図であり、図４乃至図８とは異なる接続状態を示す。
【図１０】図１の熱源機、ドレン排水切り替えユニット、浴槽の間で配管が誤って接続された状態を示す模式図であり、図４乃至図９とは異なる接続状態を示す。
【図１１】図１の熱源機、ドレン排水切り替えユニット、浴槽の間で配管が誤って接続された状態を示す模式図であり、図４乃至図１０とは異なる接続状態を示す。
【図１２】図１の熱源機、ドレン排水切り替えユニット、浴槽の間で配管が誤って接続された状態を示す模式図であり、図４乃至図１１とは異なる接続状態を示す。
【図１３】図１の熱源機、ドレン排水切り替えユニット、浴槽の間で配管が誤って接続された状態を示す模式図であり、図４乃至図１２とは異なる接続状態を示す。
【図１４】図１の熱源機、ドレン排水切り替えユニット、浴槽の間で配管が誤って接続された状態を示す模式図であり、図４乃至図１３とは異なる接続状態を示す。
【図１５】図３で示される状態からドレン排水切り替えユニットで流路の切り替え動作を実施した状態を示す模式図である。
【図１６】図５で示される状態からドレン排水切り替えユニットで流路の切り替え動作を実施した状態を示す模式図である。
【発明を実施するための形態】
【００２８】
以下、本発明の実施形態にかかる排水システムを形成する熱源機１及びドレン排水切り替えユニット４３について詳細に説明する。
【００２９】
熱源機１は、図１に示すように、筐体２の内部に燃焼部３と、燃焼部３に燃焼用の空気を供給する送風機４と、主に顕熱を回収する一次熱交換器５と、主に潜熱を回収する二次熱交換器６（熱交換器）とを備えた所謂潜熱回収型と称されるものである。
また、熱源機１は制御装置７を備えており、この制御装置７は熱源機１内の各種センサからの信号を受信可能となっている。また、この制御装置７が熱源機１の各部に動作指令を送信することにより、熱源機１が各種運転を実施可能な構成となっている。
【００３０】
この熱源機１は、給湯系統１０、風呂落とし込み系統１１、風呂系統１２の各系統を備えている。ここで、給湯系統１０では、湯水を給湯栓１５から出湯させる一般給湯運転を実施可能となっている。また、風呂落とし込み系統１１では、浴槽１６へ湯水を注湯する落とし込み運転を実施可能となっている。さらにまた、風呂系統１２では、浴槽１６の湯水を循環させて適宜加熱する追い焚き運転を実施可能となっている。
【００３１】
燃焼部３は、バーナ３ａによって外部から供給されるガス等の燃料を燃焼することにより、高温の燃焼ガスを発生させることができる構成となっている。
【００３２】
送風機４は、内部に図示しないモータと羽根車を内蔵し、燃焼部３のバーナ３ａの燃焼状態に応じて回転数を変化させ、送風量及び送風圧を調整可能となっている。
【００３３】
一次熱交換器５は、公知の気・液熱交換器であって、燃焼部３より燃焼ガスの流れ方向下流側に配置されている。この一次熱交換器５は、主要部分が銅製であり、内部に湯が流れるフィンアンドチューブ式の熱交換器である。
【００３４】
二次熱交換器６は、公知の気・液熱交換器であって、一次熱交換器５において回収しきれなかった燃焼ガスの熱エネルギーを回収する部分であり、一次熱交換器５より燃焼ガスの流れ方向下流側に配置されている。この二次熱交換器６は、箱状体の内部に湯水が流れる配管（図示せず）を内蔵して形成されるものであり、この配管の原料に耐腐食性が高いステンレス鋼等を採用することで、一次熱交換器５と比べて耐腐食性に優れた構造となっている。
【００３５】
次に、熱源機１の各系統について詳細に説明する。
【００３６】
給湯系統１０は、入水管２０と、出湯管２１と、バイパス管２２と、一般給湯管２３とを備えている。
【００３７】
入水管２０は、図示しない給水源から供給される湯水を二次熱交換器６及び一次熱交換器５（以下単に熱交換器とも称す）に流すための配管である。
【００３８】
出湯管２１は、湯水の流れ方向下流側で一般給湯管２３と、風呂落とし込み系統１１の風呂落とし込み管２５とに分岐している。即ち、一般給湯管２３及び風呂落とし込み管２５に湯水を供給するものである。このとき、出湯管２１の一般給湯管２３と風呂落とし込み管２５に分岐している部分には、出湯流量調整弁２６が設けられており、一般給湯管２３及び風呂落とし込み管２５に流れる湯水の流量を調整可能となっている。
【００３９】
バイパス管２２は、入水管２０と出湯管２１と結んで熱交換器をバイパスする配管である。
【００４０】
一般給湯管２３は、熱交換器を通過した湯水をシャワーやカラン等の給湯栓１５に供給するものである。
【００４１】
風呂落とし込み系統１１は、風呂落とし込み管２５と、風呂系統１２とにより、外部の給水源から浴槽１６へ連なる流路を形成している。
【００４２】
風呂落とし込み管２５は、上記した出湯管２１と、風呂系統１２の風呂戻り管３３とを接続するものである。また、この風呂落とし込み管２５には、上流側から、落とし込み用流量センサ２８、注湯電磁弁２９、逆止弁等によって構成される逆流防止装置３０が設けられている。
【００４３】
風呂系統１２は、図１で示されるように、浴槽１６を含む循環流路を形成する風呂戻り管３３と、風呂往き管３４とを備えている。
【００４４】
風呂戻り管３３は、浴槽１６側から熱交換器側に湯水を戻す配管であり、風呂往き管３４は、熱交換器側から浴槽１６側に湯水を送りだす配管である。風呂戻り管３３と風呂往き管３４とは、熱交換器を介して連続しており、浴槽１６を含む循環流路（風呂循環経路）を形成している。
【００４５】
この循環流路には、浴槽１６側から熱交換器側へ向かって、浴槽１６に取り付けられた循環アダプタ３７と、二方弁３８と、三方弁３９と、渦巻きポンプ４０と、追い焚き用流量スイッチ４１と、追い焚き流入側水温センサ４２とが設けられている。さらにまた、熱交換器側から浴槽１６側へ向かう流路に、追い焚き流出側水温センサ３６（熱源機側温度検知手段）が設けられている。すなわち、風呂戻り管３３と風呂往き管３４のそれぞれに温度センサ（追い焚き流入側水温センサ４２、追い焚き流出側水温センサ３６）が設けられており、風呂戻り管３３と風呂往き管３４の内部を流れる湯水の温度をそれぞれ検知可能となっている。なお、追い焚き流出側水温センサ３６は、風呂往き管３４のうち、筐体２の内部側に位置する部分であり、熱源機１からの出湯口となる部分のやや上流側（出湯口となる金具の近傍）に設けられている。
さらに、浴槽１６の外側に隣接する位置には、ドレン排水切り替えユニット４３が設けられている。
【００４６】
循環アダプタ３７は、浴槽１６の側壁に取り付けられ、浴槽１６の内外を連通している。この循環アダプタ３７には、風呂戻り管３３が接続されると共に、風呂往き管３４の一部である浴槽側往管３４ａ（詳しくは後述する）が接続されている。
【００４７】
二方弁３８は、風呂戻り管３３の中途であって、風呂落とし込み管２５と風呂戻り管３３とが合流する合流地点４５よりも浴槽１６側に設けられている。
この二方弁３８を開状態とすると、風呂戻り管３３のうち浴槽１６から二方弁３８まで延びる浴槽側配管部３３ａと、風呂戻り管３３のうち二方弁３８と三方弁３９の間で延びる中間配管部３３ｂとが連通した状態となり、浴槽側配管部３３ａと中間配管部３３ｂの間で湯水等が流れる状態となる。
また、この二方弁３８を閉状態とすると、浴槽側配管部３３ａと中間配管部３３ｂとの連通が断絶された状態となり、浴槽側配管部３３ａ側から中間配管部３３ｂ側へ向かう方向、及び中間配管部３３ｂ側から浴槽側配管部３３ａ側へ向かう方向に湯水等が流れない状態となる。
【００４８】
三方弁３９は、風呂戻り管３３の中途であって、二方弁３８及び上記した合流地点４５よりも熱交換器側に設けられている。この三方弁３９は、３つのポートを有しており、そのうちの２つには、風呂戻り管３３のうち三方弁３９から二次熱交換器６まで延びる熱交側配管部３３ｃと、中間配管部３３ｂとがそれぞれ接続されている。そして、三方弁３９の残るポートには、後述するドレン排出用配管５５が接続されている。
【００４９】
この三方弁３９は、３つのポートのうちの適宜なポートを閉塞することにより、流路を切り替えるための流路切替手段として機能する。
例えば、中間配管部３３ｂが接続されたポートを閉塞することにより、ドレン排出用配管５５から熱交側配管部３３ｃへ連なる流路が連通された状態となる。このとき、ドレン排出用配管５５又は熱交側配管部３３ｃから中間配管部３３ｂへ、また逆に中間配管部３３ｂからドレン排出用配管５５又は熱交側配管部３３ｃへ湯水やドレン等の液体が流れない状態となる。
また、ドレン排出用配管５５が接続されたポートを閉塞することにより、中間配管部３３ｂから熱交側配管部３３ｃへ連なる流路が連通された状態となる。このとき、中間配管部３３ｂ又は熱交側配管部３３ｃからドレン排出用配管５５へ、また逆にドレン排出用配管５５から中間配管部３３ｂ又は熱交側配管部３３ｃへ湯水やドレン等の液体が流れない状態となる。
【００５０】
ドレン排水切り替えユニット４３は、浴槽１６の近傍に設けられている。
ドレン排水切り替えユニット４３は、３つのポートを有しており、そのうちの２つには、風呂往き管３４の一部である浴槽側往管３４ａと熱交側往管３４ｂとがそれぞれ接続されている。そして、ドレン排水切り替えユニット４３の残るポートには、外部に連なる排水管４８が接続されている。
【００５１】
ここで、浴槽側往管３４ａは、風呂往き管３４のうち、ドレン排水切り替えユニット４３と循環アダプタ３７の間で延びる部分であり、熱源機１側から浴槽１６側へ向かって湯水を流すときに湯水の流れ方向下流側となる部分である。
また、熱交側往管３４ｂは、風呂往き管３４のうち、ドレン排水切り替えユニット４３と一次熱交換器５の間で延びる部分であり、熱源機１側から浴槽１６側へ向かって湯水を流すときに湯水の流れ方向上流側に位置する部分である。
つまり、ドレン排水切り替えユニット４３は、風呂往き管３４の中途であって浴槽１６に近接する位置に組み込まれており、２つに分断された風呂往き管３４のそれぞれを繋ぐようにこれらの間に位置している。別言すると、ドレン排水切り替えユニット４３は、風呂往き管３４の中途部分とドレンを排出するための排水管４８との間に介在してこれらを連結している。
【００５２】
そして、ドレン排水切り替えユニット４３は、３つのポートのうちの適宜なポートを閉塞することにより、流路を切り替えるための流路切替手段として機能する。
例えば、浴槽側往管３４ａが接続されたポートを閉塞することにより、熱交側往管３４ｂから排水管４８へ連なる流路が連通された状態となる。このとき、風呂往き管３４を浴槽１６側へ流れた湯水等の液体は排水管４８から外部へ排出されることになり、循環アダプタ３７側には流れず、浴槽１６に流入することはない。
また、排水管４８が接続されたポートを閉塞することにより、熱交側往管３４ｂから浴槽側往管３４ａへ連なる流路が連通された状態となる。このとき、風呂往き管３４から浴槽１６側へ流れた湯水等の液体は循環アダプタ３７を介して浴槽１６の内部へ流入するものであり、排水管４８から外部へと排出されることはない。
【００５３】
さらに具体的に説明すると、ドレン排水切り替えユニット４３は、図２で示されるように、熱交側往管３４ｂを接続するための熱交側ポート６０（配管取付部）と、浴槽側往管３４ａを接続するための浴槽側ポート６１（配管取付部）と、排水管４８を接続するための排水側ポート６２（配管取付部）とを有しており、これらはそれぞれ異なる方向に向かって開口している。また、ドレン排水切り替えユニット４３は、湯水等の流れ方向を切替え可能な切替弁６５を有しており、熱交側ポート６０から延設される第１流路６６と、浴槽側ポート６１から延設される第２流路６７と、排水側ポート６２から延設される第３流路６８とがこの切替弁６５と連続している。
すなわち、ドレン排水切り替えユニット４３は、第１流路６６、第２流路６７、第３流路６８と切替弁６５によって略Ｔ字状の流路を形成している。
【００５４】
そして、切替弁６５で流路の切り替え動作を実施することにより、熱交側ポート６０と浴槽側ポート６１の間に形成される流路と、熱交側ポート６０と排水側ポート６２の間に形成される流路とを切替え可能となっている。
なお、熱交側ポート６０と浴槽側ポート６１の間に形成される流路に切替えられた状態では、熱交側ポート６０、第１流路６６、切替弁６５、第２流路６７、浴槽側ポート６１の順に湯水が流れることとなる（図２の矢印Ａ方向に湯水が流れることとなる）。対して、熱交側ポート６０と排水側ポート６２の間に形成される流路に切替えられた状態では、熱交側ポート６０、第１流路６６、切替弁６５、第３流路６８、排水側ポート６２の順に湯水が流れることとなる（図２の矢印Ｂ方向に湯水が流れることとなる）。
【００５５】
また第２流路６７には、流量センサ７０（水流検知手段）が設けられている。流量センサ７０は、第２流路６７の内部を流れる湯水等の流量を検知するものである。
【００５６】
ここで、前記したように、二次熱交換器６は燃焼ガスの主に潜熱を回収するので、二次熱交換器６では燃焼ガスの温度が一定値以下に低下する。そのことにより、燃焼ガスに含まれる水蒸気が液化してドレンが発生する。そして発生したドレンは、燃焼ガスに晒されることにより、燃焼により生成された窒素酸化物や硫黄酸化物が溶け込んで酸性を呈する。
【００５７】
そこで、本実施形態の熱源機１は、図１で示されるように、発生したドレンを中和して外部に排出するためのドレン排出系統５０を備えた構成となっている。
【００５８】
ドレン排出系統５０は、ドレンの流れ方向上流側から順番に、二次熱交換器６を収納するケースの底部に形成された図示しないドレンパンと、ドレンを中和するための中和器５３と、中和器５３で中和したドレンを一時的に貯留するためのドレンタンク５４と、ドレンタンク５４のドレン排出口に接続されたドレン排出用配管５５と、風呂系統１２の一部によって構成されている。
【００５９】
次に、本実施形態の熱源機１が実施可能な各種動作について詳細に説明する。
【００６０】
本実施形態の熱源機１は、上記したように、一般給湯運転、落とし込み運転、追い焚き運転を実施可能となっている。加えて、二次熱交換器６で発生したドレンを外部へ排出するドレン排出動作を実施可能となっている。
【００６１】
［一般給湯運転］
給湯栓１５等が操作されて出湯要求があると、図示しない給水源から供給された湯水が入水管２０を流れ、二次熱交換器６及び一次熱交換器５を経て加熱されて、出湯管２１へ出湯される。また出湯管２１では、二次熱交換器６及び一次熱交換器５を経て加熱された湯水と、バイパス管２２を通過した湯水とが混合されることとなる。そして、この混合された湯水が一般給湯管２３へと出湯され、一般給湯管２３から給湯栓１５へと供給される。
【００６２】
［落とし込み運転］
図示しないリモコン等で落とし込み運転が要求されると、風呂落とし込み系統１１の注湯電磁弁２９が開いた状態となる。また、風呂系統１２の二方弁３８が開状態となると共に、三方弁３９のドレン排出用配管５５が接続されたポートが閉状態となり、中間配管部３３ｂと熱交側配管部３３ｃとが連通した状態となる。そして図示しない給水源から供給された湯水が入水管２０を流れ、二次熱交換器６及び一次熱交換器５を経て加熱されて、出湯管２１へ出湯される。また出湯管２１では、二次熱交換器６及び一次熱交換器５を経て加熱された湯水と、バイパス管２２を通過した湯水とが混合されることとなる。そして、この混合された湯水が風呂落とし込み管２５へと出湯され、風呂戻り管３３へと流入する。そして、湯水は、風呂戻り管３３と、風呂戻り管３３と連なる風呂往き管３４から浴槽１６へ落とし込まれる。
【００６３】
［追い焚き運転］
図示しないリモコン等で追い焚き運転が要求されると、風呂系統１２の二方弁３８が開状態となると共に、三方弁３９のドレン排出用配管５５が接続されたポートが閉状態となり、中間配管部３３ｂと熱交側配管部３３ｃとが連通した状態となる。また、渦巻きポンプ４０が駆動され、浴槽１６内の湯水が風呂戻り管３３を流れ、二次熱交換器６及び一次熱交換器５に送られて昇温する。そして昇温された湯水は、風呂往き管３４を経て浴槽１６に戻される。
【００６４】
［ドレン排出動作］
ドレンタンク５４に取り付けられた水位検出手段により、ドレンタンク５４の内部空間に貯留されたドレンの液位が一定以上であることが検知されると、風呂系統１２の二方弁３８が閉状態とされ、三方弁３９の中間配管部３３ｂが接続されたポートが閉状態とされてドレン排出用配管５５と熱交側配管部３３ｃとを連通した状態となる。さらに、ドレン排水切り替えユニット４３の浴槽側往管３４ａが接続されたポートが閉状態とされ、熱交側往管３４ｂと排水管４８とが連通された状態となる。そして、この状態で渦巻きポンプ４０を駆動することにより、ドレンタンク５４の内部空間に貯留されたドレンがドレン排出用配管５５を介して風呂戻り管３３の熱交側配管部３３ｃへと流入し、そのまま二次熱交換器６及び一次熱交換器５を経由して風呂往き管３４へと至り、風呂往き管３４を浴槽１６側へ向かって流れて、排水管４８から外部へと排出される。
【００６５】
本実施形態では、上記したように、風呂戻り管３３に設けられた渦巻きポンプ４０を、追い焚き運転における循環流の形成と、ドレン排出動作におけるドレンの流れの形成に使用している。別言すると、追い焚き運転用の循環ポンプと、ドレン排出用ポンプとを同一のものとしている。加えて、上記したように、ドレン排出系統５０のドレン排出用配管５５よりドレンの流れ方向下流側の配管として、風呂系統１２に属する配管を使用する構成となっている。すなわち、本実施形態の熱源機１では、風呂系統１２をドレン排出系統５０の一部とする構成となっている。別言すると、ドレン排出動作と追い焚き運転とで使用する配管及びポンプを共用する構成となっている。
つまり、ドレン排水切り替えユニット４３や三方弁３９による流路の切替え動作により、風呂系統１２に属する配管を追い焚き運転を実施するための循環流路として使用する状態と、ドレンを外部へ排出するためのドレン排出経路として使用する状態とを切替えている。
【００６６】
ところで、上記したように、ドレン排水切り替えユニット４３は３つのポートを備えており、それぞれに、浴槽側往管３４ａ、熱交側往管３４ｂ、排水管４８の３つの配管を接続した状態で使用する。別言すると、ドレン排水切り替えユニット４３の傍には、３つの配管が延設されることとなる。さらに、ドレン排水切り替えユニット４３に接続する風呂往き管３４（浴槽側往管３４ａ、熱交側往管３４ｂ）と、風呂戻り管３３とはいずれも同じ循環アダプタ３７に接続する必要があるので、風呂戻り管３３もまたドレン排水切り替えユニット４３の傍で延設されることとなる。
つまり、ドレン排水切り替えユニット４３の配置位置の傍には、浴槽側往管３４ａ、熱交側往管３４ｂ、排水管４８、風呂戻り管３３の４つの配管が延設されることとなる。
【００６７】
このため、熱源機１の設置作業時やメンテナンス時等において、熱源機１、浴槽１６、ドレン排水切り替えユニット４３の間の配管接続作業を実施するとき、作業者が配管を誤った位置に接続してしまうおそれがある。
具体的には、正しくは熱源機１に接続すべき風呂戻り管３３の一端を、ドレン排水切り替えユニット４３に誤って接続してしまうといった誤接続が考えられる。また、ドレン排水切り替えユニット４３の浴槽側ポート６１（図２参照）に本来接続すべき浴槽側往管３４ａを、熱交側ポート６０（図２参照）に誤って接続してしまうといった誤接続もまた考えられる。
つまり、作業者が各種配管の識別やドレン排水切り替えユニット４３の各ポートの識別を誤ってしまうことで、配管を誤った位置に接続してしまう可能性がある。
【００６８】
そこで、本実施形態では、このような作業者による配管接続の誤りを検知すべく、配管接続の正誤を判別する動作が実施可能となっている。本実施形態の特徴的な動作である配管接続の正誤を判別する動作につき、以下で具体的に説明する。
【００６９】
配管接続の正誤を判別するための動作（以下、単に接続判別動作とも称す）では、二方弁３８を閉状態とし、三方弁３９のドレン排出用配管５５が接続されたポートを閉塞した状態とする。すなわち、浴槽側配管部３３ａと中間配管部３３ｂとを連通が断絶された状態とし、中間配管部３３ｂから熱交側配管部３３ｃへ連なる流路が連通された状態とする。さらに、ドレン排水切り替えユニット４３では、熱交側ポート６０と浴槽側ポート６１の間に形成される流路が連通された状態（図２の矢印Ａ方向に湯水が流れる状態）とする。そして、この状態において、風呂落とし込み管２５の注湯電磁弁２９を開状態とし、風呂落とし込み管２５から風呂系統１２へと湯水を流入させる注湯動作を実施して、配管接続の正誤を判別する。
本実施形態では、この接続判別動作により、ドレン排水切り替えユニット４３に対する配管接続の正誤を判別可能となっている。ドレン排水切り替えユニット４３に正しく配管が接続された場合と、ドレン排水切り替えユニット４３に誤って配管が接続された場合のそれぞれにおける配管接続の正誤の判別について詳細に説明する。
【００７０】
ドレン排水切り替えユニット４３に正しく配管が接続された場合、図３で示されるように、熱源機１の往管取付口７３と、ドレン排水切り替えユニット４３の熱交側ポート６０のそれぞれに熱交側往管３４ｂが取り付けられた状態となる。
また、ドレン排水切り替えユニット４３の浴槽側ポート６１と、循環アダプタ３７の往管取付口７５のそれぞれに浴槽側往管３４ａが取り付けられた状態となる。そして、循環アダプタ３７の戻り管取付口７６と、熱源機１の戻り管取付口７４のそれぞれに風呂戻り管３３が取り付けられた状態となる。さらに、ドレン排水切り替えユニット４３の排水側ポート６２に排水管４８が取り付けられた状態となる。
【００７１】
この状態で、接続判別動作を実施すると、熱交側往管３４ｂ、ドレン排水切り替えユニット４３の熱交側ポート６０から浴槽側ポート６１までの間に形成される流路、浴槽側往管３４ａへと湯水が流れ、浴槽１６へと湯水が排出される。さらに、ドレン排水切り替えユニット４３の内部を熱交側ポート６０から浴槽側ポート６１まで規定通り湯水が流れるので、流量センサ７０（図２参照）によって湯水の流れが検知される。加えて、ドレン排水切り替えユニット４３では、排水側ポート６２側へと湯水が流れないので、ドレン排水切り替えユニット４３から外部（例えば浴室の排水口）へ湯水が流出することはない。
【００７２】
すなわち、流量センサ７０（図２参照）によって湯水の流れが検知されること、浴槽１６へ湯水が排出される状態であること、さらにドレン排水切り替えユニット４３から湯水が外部へと流出されない状態であることから、配管が正しく接続されたものと判別する。
【００７３】
なお、浴槽１６へ湯水が排出されることと、ドレン排水切り替えユニット４３から湯水が流出されないことは作業者が目視で確認可能となっている。
【００７４】
これに対して、配管が誤って配管が接続された場合につき、図４乃至図１４を参照しつつ説明する。
【００７５】
まず、図４で示されるように、浴槽側往管３４ａと排水管４８の接続位置を誤ってしまった場合について説明する。すなわち、本来は浴槽側ポート６１に接続すべき浴槽側往管３４ａの一端を排水側ポート６２へと接続してしまい、本来は排水側ポート６２に接続すべき排水管４８を浴槽側ポート６１に接続してしまった場合について説明する。
【００７６】
この場合、接続判別動作を実施すると、熱交側往管３４ｂ、ドレン排水切り替えユニット４３を通過した湯水が浴槽側ポート６１から排水管４８を介して排出されることとなる。すなわち、正しく配管を接続した場合とは異なり、浴槽１６へ湯水が流入せず、ドレン排水切り替えユニット４３から外部へと湯水が排出されることとなる。このように、浴槽１６へ湯水が流入しない状態であること、ドレン排水切り替えユニット４３から外部へと湯水が排出される状態であることから、配管が誤って接続されたものと判別する。より具体的には、流量センサ７０（図２参照）によって湯水の流れが検知されるものの、浴槽１６へ湯水が流入しない状態であることと、ドレン排水切り替えユニット４３から外部へと湯水が排出される状態であることから、配管が誤って接続されたものと判別する。
【００７７】
続いて、図５で示されるように、浴槽側往管３４ａと熱交側往管３４ｂの接続位置を誤ってしまった場合について説明する。すなわち、本来は熱交側ポート６０に接続すべき熱交側往管３４ｂの一端を浴槽側ポート６１に接続してしまい、本来は浴槽側ポート６１に接続すべき浴槽側往管３４ａの一端を熱交側ポート６０に接続してしまった場合について説明する。
【００７８】
この場合、接続判別動作を実施すると、正しく配管を接続した場合と同じく、熱交側往管３４ｂ、ドレン排水切り替えユニット４３の熱交側ポート６０から浴槽側ポート６１までの間に形成される流路、浴槽側往管３４ａへと湯水が流れ、浴槽１６へと湯水が排出される。しかしながら、湯水がドレン排水切り替えユニット４３の内部を流れる際、正しく配管を接続した場合は熱交側ポート６０側から浴槽側ポート６１側へと流れるのに対し、この場合は浴槽側ポート６１側から熱交側ポート６０側へと湯水が流れる。別言すると、湯水はドレン排水切り替えユニット４３の内部を逆流することとなる。このように湯水が逆流すると、流量センサ７０（図２参照）で湯水の流れが検知できなくなる。
すなわち、正しく配管を接続した場合とは異なり、流量センサ７０（図２参照）で湯水の流れが検知できないことから、配管が誤って接続されたものと判別する。
【００７９】
続いて、図６で示されるように、浴槽側往管３４ａ、熱交側往管３４ｂ、排水管４８のそれぞれで接続位置を誤ってしまった場合について説明する。すなわち、本来は熱交側ポート６０に接続すべき熱交側往管３４ｂの一端を浴槽側ポート６１に接続してしまい、本来は排水側ポート６２に接続すべき排水管４８を熱交側ポート６０に接続してしまい、本来は浴槽側ポート６１に接続すべき浴槽側往管３４ａの一端を排水側ポート６２に接続してしまった場合について説明する。
【００８０】
この場合、接続判別動作を実施すると、熱交側往管３４ｂ、ドレン排水切り替えユニット４３を通過した湯水が熱交側ポート６０から排水管４８を介して排出されることとなる。このことにより、浴槽１６へ湯水が流入せず、ドレン排水切り替えユニット４３から外部へと湯水が排出されることとなる。さらにまた、ドレン排水切り替えユニット４３を湯水が通過するとき、浴槽側ポート６１側から熱交側ポート６０側へと湯水が流れるので、湯水はドレン排水切り替えユニット４３の内部を逆流することとなる。このことにより、流量センサ７０（図２参照）で湯水の流れが検知できなくなる。
すなわち、正しく配管を接続した場合とは異なり、浴槽１６へ湯水が流入せず、またドレン排水切り替えユニット４３から外部へと湯水が排出され、さらに流量センサ７０（図２参照）で湯水の流れが検知できないことから、配管が誤って接続されたものと判別する。
【００８１】
続いて、図７で示されるように、浴槽側往管３４ａ、熱交側往管３４ｂ、排水管４８のそれぞれで接続位置を誤ってしまった場合について説明する。すなわち、本来は熱交側ポート６０に接続すべき熱交側往管３４ｂの一端を排水側ポート６２に接続してしまい、本来は排水側ポート６２に接続すべき排水管４８を浴槽側ポート６１に接続してしまい、本来は浴槽側ポート６１に接続すべき浴槽側往管３４ａの一端を熱交側ポート６０に接続してしまった場合について説明する。
【００８２】
この場合、接続判別動作を実施すると、湯水は熱交側往管３４ｂを流れ、ドレン排水切り替えユニット４３へと流入する。しかしながら、湯水の流れは、ドレン排水切り替えユニット４３の内部で止まってしまうこととなる。すなわち、ドレン排水切り替えユニット４３では、熱交側ポート６０と浴槽側ポート６１の間に形成される通路が連通された状態となっており、排水側ポート６２は他のポートと連通していない状態となっている。そのため、排水側ポート６２から流れ込んだ湯水は、ドレン排水切り替えユニット４３の内部で流れを止めてしまうこととなる。このため、熱交側ポート６０側から浴槽側ポート６１側へと湯水が流れないので、流量センサ７０（図２参照）で湯水の流れが検知できなくなる。また、浴槽１６まで湯水が流れないので、浴槽１６へ湯水が流入することはない。
すなわち、正しく配管を接続した場合とは異なり、浴槽１６へ湯水が流入せず、流量センサ７０（図２参照）で湯水の流れが検知できないことから、配管が誤って接続されたものと判別する。
なお、ドレン排水切り替えユニット４３の内部で湯水の流れが止まってしまった場合は、熱源機１側の風呂落とし込み管２５や風呂系統１２でも湯水の流れが止まってしまうこととなる。したがって、熱源機１側の各種流量センサで湯水の流れの有無を検知し、湯水の流れが無い場合に、ドレン排水切り替えユニット４３において配管接続が誤っているものと判別してもよい。
【００８３】
続いて、図８で示されるように、熱交側往管３４ｂと排水管４８とで接続位置を誤ってしまった場合について説明する。すなわち、本来は熱交側ポート６０に接続すべき熱交側往管３４ｂの一端を排水側ポート６２に接続してしまい、本来は排水側ポート６２に接続すべき排水管４８を熱交側ポート６０に接続してしまった場合について説明する。
【００８４】
この場合、接続判別動作を実施すると、湯水は熱交側往管３４ｂを流れ、ドレン排水切り替えユニット４３へと流入する。しかしながら、上記した図７で示される誤接続をしてしまった場合と同様に、湯水の流れがドレン排水切り替えユニット４３の内部で止まってしまうこととなる。すなわち、熱交側ポート６０側から浴槽側ポート６１側へと湯水が流れないので、流量センサ７０（図２参照）で湯水の流れが検知できず、また浴槽１６まで湯水が流れないので、浴槽１６へ湯水が流入することはない。
すなわち、正しく配管を接続した場合とは異なり、浴槽１６へ湯水が流入せず、流量センサ７０（図２参照）で湯水の流れが検知できないことから、配管が誤って接続されたものと判別する。
なお、この場合もまた、熱源機１側の各種流量センサで湯水の流れの有無を検知し、湯水の流れが無い場合に、ドレン排水切り替えユニット４３において配管接続が誤っているものと判別してもよい。
【００８５】
続いて、図９で示されるように、浴槽側往管３４ａ、熱交側往管３４ｂ、風呂戻り管３３のそれぞれで接続位置を誤ってしまった場合について説明する。すなわち、本来は風呂戻り管３３によって形成される流路、別言すると、循環アダプタ３７の戻り管取付口７６と熱源機１の戻り管取付口７４の間に形成される流路にドレン排水切り替えユニット４３を組み込んでしまった場合である。
より具体的には、熱源機１の往管取付口７３と循環アダプタ３７の往管取付口７５とを配管（風呂戻り管３３）を介して直接接続してしまい、さらに循環アダプタ３７の戻り管取付口７６とドレン排水切り替えユニット４３の浴槽側ポート６１とを配管（浴槽側往管３４ａ）を介して接続してしまい、また、ドレン排水切り替えユニット４３の熱交側ポート６０と熱源機１の戻り管取付口７４とを配管（熱交側往管３４ｂ）を介して接続してしまった場合について説明する。
【００８６】
この場合、接続判別動作を実施すると、湯水は、風呂戻り管３３を経て浴槽１６へと流入することとなり、ドレン排水切り替えユニット４３の内部を通過することはない。つまり、熱源機１の往管取付口７３と循環アダプタ３７の往管取付口７５とを配管（風呂戻り管３３）を介して直接接続してしまうと、湯水がドレン排水切り替えユニット４３の内部を通過せずに浴槽１６へと供給されることとなる。この場合、当然のことながら、ドレン排水切り替えユニット４３の内部に位置する流量センサ７０（図２参照）で湯水の流れを検知することはできない。
すなわち、正しく配管を接続した場合とは異なり、流量センサ７０（図２参照）で湯水の流れが検知できないことから、配管が誤って接続されたものと判別する。
【００８７】
ここで、熱源機１の往管取付口７３と循環アダプタ３７の往管取付口７５とを配管を介して直接接続してしまった場合は、ドレン排水切り替えユニット４３の各ポートに対してどのように配管が接続されていても、接続判別動作により流れる湯水がドレン排水切り替えユニット４３の内部に侵入することはない。換言すると、熱源機１の往管取付口７３と循環アダプタ３７の往管取付口７５の間に形成される流路にドレン排水切り替えユニット４３を組み込まなかった場合は、配管の接続方法をどのように誤っていても、接続判別動作により流れる湯水がドレン排水切り替えユニット４３の内部へ侵入することはない。
したがって、図１０乃至図１４で示されるように配管の接続位置を誤ってしまった場合は、いずれも、正しく配管を接続した場合とは異なり、流量センサ７０（図２参照）で湯水の流れが検知できないことから、配管が誤って接続されたものと判別する。
【００８８】
上記した実施形態では、ドレン排水切り替えユニット４３の第２流路６７に流量センサ７０を取り付けた例を示したが、本発明はこれに限るものではない。本発明の排水システムで利用するドレン排水切り替えユニットは、流量センサ７０に代わって第２流路６７に温度センサ８０（水温検知手段）を取り付けたドレン排水切り替えユニット１４３であってもよい（図２参照）。
なお、温度センサ８０は公知のサーミスタ等であって、第２流路６７の内部を流れる湯水の温度を検知可能なものである。
【００８９】
温度センサ８０を備えたドレン排水切り替えユニット１４３に対する配管接続の正誤を判別するための動作（以下、単に第２の接続判別動作とも称す）につき、図面を参照しつつ具体的に説明する。なお、上記した接続判別動作と同様のものについては同じ符号を付し、重複する説明を省略する。
【００９０】
第２の接続判別動作では、上記した接続判別動作と同様に、二方弁３８を閉状態とし、三方弁３９のドレン排出用配管５５が接続されたポートを閉塞した状態とすると共に、ドレン排水切り替えユニット１４３において熱交側ポート６０と浴槽側ポート６１の間に形成される流路が連通された状態とする。そして、この状態において、風呂落とし込み管２５の注湯電磁弁２９を開状態とし、風呂落とし込み管２５から風呂系統１２へと湯水を流入させる第１の動作を実施する。
さらに、第２の接続判別動作では、一旦風呂落とし込み管２５の注湯電磁弁２９を閉状態とし、ドレン排水切り替えユニット１４３で流路の切り替え動作を実施する。すなわち、ドレン排水切り替えユニット１４３を熱交側ポート６０と排水側ポート６２の間に形成される流路が連通された状態とする。そして、この状態において、風呂落とし込み管２５の注湯電磁弁２９を開状態とし、風呂落とし込み管２５から風呂系統１２へと湯水を流入させる第２の動作を実施する。
つまり、第２の接続判別動作では、ドレン排水切り替えユニット１４３での流路の切り替え動作の前に注湯動作を実施する第１の動作と、ドレン排水切り替えユニット１４３での流路の切り替え動作の後に注湯動作を実施する第２の動作によって、配管接続の正誤を判別する。
【００９１】
ドレン排水切り替えユニット１４３に正しく配管が接続された場合と、ドレン排水切り替えユニット１４３に誤って配管が接続された場合のそれぞれにつき、第２の接続判別動作による配管接続の正誤の判別について詳細に説明する。
【００９２】
ドレン排水切り替えユニット１４３に正しく配管が接続された場合、図３で示されるような配管の接続状態となる。なお、この接続状態は、上記した図３で示される接続状態と同様であるので重複する説明を省略する。
【００９３】
この状態で、第２の接続判別動作のうちの第１の動作を実施すると、熱交側往管３４ｂ、ドレン排水切り替えユニット１４３の熱交側ポート６０から浴槽側ポート６１までの間に形成される流路、浴槽側往管３４ａへと湯水が流れ、浴槽１６へと湯水が排出される。ここで、湯水がドレン排水切り替えユニット１４３の内部を通過するとき、熱交側ポート６０から浴槽側ポート６１までの間に形成される流路を通過することから、湯水は第２流路６７を通過する（図２参照）。このことにより、温度センサ８０によって湯水の温度が検知される。
なお、第２の接続判別動作の説明において、「温度センサ８０によって湯水の温度が検知される」とは、配管（第２流路６７）内を湯水が通過することにより、湯水が通過しない状態よりも高い温度が温度センサ８０によって検知されることとする。また、「温度センサ８０によって湯水の温度が検知できない」とは、配管（第２流路６７）内を湯水が通過したときに検知される所定の値以上の高い温度が検知できないこととする。
【００９４】
そして、温度センサ８０によって湯水の温度が検知されると、第１の動作を終了して第２の動作を実施する。すなわち、ドレン排水切り替えユニット１４３で流路の切り替え動作を実施し、図１５で示されるように、ドレン排水切り替えユニット１４３を熱交側ポート６０と排水側ポート６２の間に形成される流路が連通された状態とする。そして、風呂落とし込み管２５の注湯電磁弁２９を開状態とし、風呂落とし込み管２５から風呂系統１２へと湯水を流入させる。
【００９５】
このように、第２の接続判別動作のうちの第２の動作を実施すると、熱交側往管３４ｂ、ドレン排水切り替えユニット１４３を通過した湯水が排水側ポート６２から排水管４８を介して排出されることとなる。この場合、湯水は浴槽１６へは流入しないものの、湯水の流れがドレン排水切り替えユニット１４３の内部で止まることはない。このため、熱源機１側の風呂落とし込み管２５や風呂系統１２で湯水の流れが止まってしまうことはなく、熱源機１側で注湯動作を継続して実施可能な状態が維持される。
【００９６】
そして、第２の接続判別動作では、第１の動作において温度センサ８０によって湯水の温度が検知されること、第１の動作において浴槽１６へ湯水が排出される状態であること、さらに第２の動作において注湯動作を継続して実施可能な状態であることから、配管が正しく接続されたものと判別する。
【００９７】
なお、浴槽１６へ湯水が排出されることは、作業者が目視で確認可能となっている。
また、第２の動作において熱源機１側で注湯動作を継続して実施可能な状態であるか否かの判別は、第２の動作中に熱源機１側で湯水の流れの有無を検知することで実施可能である。詳細には、第２の動作の実施中に、熱源機１側の各種流量センサで風呂落とし込み管２５や風呂系統１２での湯水の流れの有無を検知する。そして、湯水の流れが有る場合に、熱源機１側で注湯動作を継続して実施可能な状態であるものと判別し、湯水の流れが無い場合は、熱源機１側で注湯動作を継続して実施可能な状態ではないものと判別する。
【００９８】
続いて、配管が誤って配管が接続された場合について説明する。
【００９９】
まず、図４で示されるように、浴槽側往管３４ａと排水管４８の接続位置を誤ってしまった場合について説明する。なお、この接続状態は、上記した図４で示される接続状態と同様であるので重複する説明を省略する。
【０１００】
この場合、第２の接続判別動作のうちの第１の動作を実施すると、熱交側往管３４ｂ、ドレン排水切り替えユニット１４３を通過した湯水が浴槽側ポート６１から排水管４８を介して排出されることとなる。
【０１０１】
すなわち、正しく配管を接続した場合とは異なり、第１の動作で浴槽１６へ湯水が流入せず、ドレン排水切り替えユニット１４３から外部へと湯水が排出されることとなる。このように、浴槽１６へ湯水が流入しない状態であることから、配管が誤って接続されたものと判別する。より具体的には、第１の動作において温度センサ８０によって湯水の温度が検知されるものの、浴槽１６へ湯水が流入しない状態であることから、配管が誤って接続されたものと判別する。
【０１０２】
続いて、図５で示されるように、浴槽側往管３４ａと熱交側往管３４ｂの接続位置を誤ってしまった場合について説明する。なお、この接続状態は、上記した図５で示される接続状態と同様であるので重複する説明を省略する。
【０１０３】
この場合、第２の接続判別動作のうちの第１の動作を実施すると、正しく配管を接続した場合と同じく、熱交側往管３４ｂ、ドレン排水切り替えユニット１４３の熱交側ポート６０から浴槽側ポート６１までの間に形成される流路、浴槽側往管３４ａへと湯水が流れ、浴槽１６へと湯水が排出される。
ここで、湯水がドレン排水切り替えユニット１４３の内部を流れる際、正しく配管を接続した場合は熱交側ポート６０側から浴槽側ポート６１側へと流れるのに対し、この場合は浴槽側ポート６１側から熱交側ポート６０側へと湯水が流れる。しかしながら、上記した流量センサ７０では、湯水の流れが逆流すると湯水の流量（湯水の流れの有無）が検知できなくなるのに対し、温度センサ８０では、湯水の流れが逆流しても湯水の温度（湯水の流れの有無）が検知できる。そのため、第１の動作では、正しく配管が接続された場合と同じく、湯水の温度が検知され、浴槽１６へ湯水が排出されることとなる。
【０１０４】
そこで、第２の接続判別動作では、このような配管の誤接続を検知すべく、第２の動作を実施している。すなわち、図１６で示される状態となるようにドレン排水切り替えユニット１４３で流路の切り替え動作を実施し、第２の動作を実施している。
【０１０５】
この場合、第２の接続判別動作のうちの第２の動作を実施すると、湯水は熱交側往管３４ｂを流れ、ドレン排水切り替えユニット１４３へと流入する。しかしながら、湯水の流れは、ドレン排水切り替えユニット１４３の内部で止まってしまうこととなる。すなわち、ドレン排水切り替えユニット１４３では、熱交側ポート６０と排水側ポート６２の間に形成される通路が連通された状態となっており、浴槽側ポート６１は他のポートと連通していない状態となっている。そのため、浴槽側ポート６１から流れ込んだ湯水は、ドレン排水切り替えユニット１４３の内部で流れを止めてしまうこととなる。
ドレン排水切り替えユニット１４３の内部で湯水の流れが止まってしまうと、熱源機１側の風呂落とし込み管２５や風呂系統１２でも湯水の流れが止まってしまうこととなる。そして、熱源機１側の風呂落とし込み管２５や風呂系統１２で湯水の流れが無いことが検知され、注湯動作を継続して実施可能な状態ではないものと判別される。
【０１０６】
すなわち、正しく配管を接続した場合とは異なり、第２の動作中に注湯動作を継続して実施可能な状態ではないことから、配管が誤って接続されたものと判別する。
【０１０７】
続いて、図６で示されるように、浴槽側往管３４ａ、熱交側往管３４ｂ、排水管４８のそれぞれで接続位置を誤ってしまった場合について説明する。なお、この接続状態は、上記した図６で示される接続状態と同様であるので重複する説明を省略する。
【０１０８】
この場合、第２の接続判別動作のうちの第１の動作を実施すると、熱交側往管３４ｂ、ドレン排水切り替えユニット１４３を通過した湯水が熱交側ポート６０から排水管４８を介して排出されることとなる。
【０１０９】
すなわち、正しく配管を接続した場合とは異なり、第１の動作で浴槽１６へ湯水が流入せず、ドレン排水切り替えユニット１４３から外部へと湯水が排出されることとなる。このように、浴槽１６へ湯水が流入しない状態であることから、配管が誤って接続されたものと判別する。
【０１１０】
この場合、第１の動作で配管が誤って接続されたものと判別できるので、第２の動作は必ずしも実施する必要はない。しかしながら、この場合、第２の動作を実施することでも配管接続の正誤を判別できる。仮に第２の動作を実施した場合は、以下のようになる。
第２の動作では、熱交側ポート６０と排水側ポート６２の間に形成される通路が連通された状態であり、浴槽側ポート６１が他のポートと連通していない状態（ドレン排水切り替えユニット１４３で流路を切替えた状態の図示は省略する）で注湯動作を実施する。そのため、ドレン排水切り替えユニット１４３の内部で湯水の流れが止まってしまい、熱源機１側の風呂落とし込み管２５や風呂系統１２で湯水の流れが無いことが検知され、注湯動作を継続して実施可能な状態ではないものと判別される。つまり、正しく配管を接続した場合とは異なり、第２の動作において注湯動作を継続して実施可能な状態ではないことから、配管が誤って接続されたものと判別できる。
【０１１１】
続いて、図７で示されるように、浴槽側往管３４ａ、熱交側往管３４ｂ、排水管４８のそれぞれで接続位置を誤ってしまった場合について説明する。なお、この接続状態は、上記した図７で示される接続状態と同様であるので重複する説明を省略する。
【０１１２】
この場合、第２の接続判別動作のうちの第１の動作を実施すると、湯水は熱交側往管３４ｂを流れ、ドレン排水切り替えユニット１４３へと流入する。しかしながら、湯水の流れは、ドレン排水切り替えユニット１４３の内部で止まってしまうこととなる。すなわち、ドレン排水切り替えユニット１４３では、熱交側ポート６０と浴槽側ポート６１の間に形成される通路が連通された状態となっており、排水側ポート６２は他のポートと連通していない状態となっている。そのため、排水側ポート６２から流れ込んだ湯水は、ドレン排水切り替えユニット１４３の内部で流れを止めてしまうこととなる。このため、第２流路６７（図２参照）を湯水が流れないので、温度センサ８０で湯水の温度が検知できなくなる。また、浴槽１６まで湯水が流れないので、浴槽１６へ湯水が流入することはない。
【０１１３】
すなわち、正しく配管を接続した場合とは異なり、第１の動作において温度センサ８０が湯水の温度を検知することができず、且つ、浴槽１６へ湯水が流入しない。このように、温度センサ８０が湯水の温度を検知することができない状態であり、浴槽１６へ湯水が流入しない状態であることから、配管が誤って接続されたものと判別する。
【０１１４】
続いて、図８で示されるように、熱交側往管３４ｂと排水管４８とで接続位置を誤ってしまった場合について説明する。なお、この接続状態は、上記した図８で示される接続状態と同様であるので重複する説明を省略する。
【０１１５】
この場合、第２の接続判別動作のうちの第１の動作を実施すると、湯水は熱交側往管３４ｂを流れ、ドレン排水切り替えユニット１４３へと流入する。しかしながら、湯水の流れは、ドレン排水切り替えユニット１４３の内部で止まってしまうこととなる。すなわち、ドレン排水切り替えユニット１４３では、熱交側ポート６０と浴槽側ポート６１の間に形成される通路が連通された状態となっており、排水側ポート６２は他のポートと連通していない状態となっている。そのため、排水側ポート６２から流れ込んだ湯水は、ドレン排水切り替えユニット１４３の内部で流れを止めてしまうこととなる。このため、第２流路６７（図２参照）を湯水が流れないので、温度センサ８０で湯水の温度が検知できなくなる。また、浴槽１６まで湯水が流れないので、浴槽１６へ湯水が流入することはない。
【０１１６】
すなわち、正しく配管を接続した場合とは異なり、第１の動作において温度センサ８０が湯水の温度を検知することができず、且つ、浴槽１６へ湯水が流入しない。このように、温度センサ８０が湯水の温度を検知することができない状態であり、浴槽１６へ湯水が流入しない状態であることから、配管が誤って接続されたものと判別する。
【０１１７】
続いて、図９で示されるように、浴槽側往管３４ａ、熱交側往管３４ｂ、風呂戻り管３３のそれぞれで接続位置を誤ってしまった場合について説明する。なお、この接続状態は、上記した図９で示される接続状態と同様であるので重複する説明を省略する。
【０１１８】
この場合、第２の接続判別動作のうちの第１の動作を実施すると、湯水は、風呂戻り管３３を経て浴槽１６へと流入することとなり、ドレン排水切り替えユニット１４３の内部を通過することはない。つまり、熱源機１の往管取付口７３と循環アダプタ３７の往管取付口７５とを配管（風呂戻り管３３）を介して直接接続してしまうと、湯水がドレン排水切り替えユニット１４３の内部を通過せずに浴槽１６へと供給されることとなる。この場合、当然のことながら、ドレン排水切り替えユニット１４３の内部に位置する温度センサ８０（図２参照）が湯水の温度を検知することができない。
すなわち、正しく配管を接続した場合とは異なり、温度センサ８０で湯水の温度が検知できないことから、配管が誤って接続されたものと判別する。
【０１１９】
ここで、熱源機１の往管取付口７３と循環アダプタ３７の往管取付口７５とを配管を介して直接接続してしまった場合は、ドレン排水切り替えユニット１４３の各ポートに対してどのように配管が接続されていても、接続判別動作により流れる湯水がドレン排水切り替えユニット１４３の内部に侵入することはない。換言すると、熱源機１の往管取付口７３と循環アダプタ３７の往管取付口７５の間に形成される流路にドレン排水切り替えユニット１４３を組み込まなかった場合は、配管の接続方法をどのように誤っていても、第２の接続判別動作により流れる湯水がドレン排水切り替えユニット１４３の内部へ侵入することはない。
したがって、図１０乃至図１４で示されるように配管の接続位置を誤ってしまった場合は、いずれも、正しく配管を接続した場合とは異なり、温度センサ８０（図２参照）で湯水の流れが検知できないことから、配管が誤って接続されたものと判別する。
【０１２０】
上記した接続判別動作や第２の接続判別動作では、一回又は二回の注湯動作によって、ドレン排水切り替えユニット４３（又はドレン排水切り替えユニット１４３）に対する配管接続の正誤の判別が可能となる。つまり、従来技術のように、追い焚き運転が可能な程度（風呂系統１２で循環流が形成可能な程度）に浴槽１６に湯水を貯留することなく、配管接続の正誤の判別が可能となるので、比較的短時間で配管接続の正誤を判別できる。
また、配管接続の正誤の判別のために浴槽に湯水を貯留する必要がないことから、多量の湯水を使用することなく配管接続の正誤の判別が可能となる。
なお、接続判別動作や第２の接続判別動作で注湯動作を実施する場合、湯水を一次熱交換器５や二次熱交換器６で加熱してもよく、加熱しなくてもよい。しかしながら、温度センサ８０等の水温検知手段（温度検知手段）で配管を流れる湯水の温度を検知する場合、湯水を加熱すると、配管の内部に湯水が流れている場合に検知される温度と、配管の内部に湯水が流れていない場合に検知される温度との差が大きくなるので好ましい。すなわち、配管の内部に湯水が流れている場合と配管の内部に湯水が流れていない場合の差がより明らかとなるので好ましい。
【０１２１】
上記した実施形態では、ドレン排水切り替えユニット４３（又はドレン排水切り替えユニット１４３）の第２流路６７に流量センサ７０や温度センサ８０を取り付ける例を示したが、本発明はこれに限るものではない。例えば、これらはドレン排水切り替えユニットの第１流路６６に取り付けてもよい。ドレン排水切り替えユニットにおけるこれらの取り付け位置は、適宜変更してよい。
【０１２２】
また、上記した実施形態では、ドレン排水切り替えユニット４３（又はドレン排水切り替えユニット１４３）の第２流路６７に流量センサ７０や温度センサ８０を取り付ける例を示したが、流量センサ７０や温度センサ８０でなく、流量スイッチを取り付ける構成であってもよい。この場合、温度センサ８０を設けた場合と同様に、第２の接続判別動作を実施することで、ドレン排水切り替えユニットに対する配管接続の正誤の判別が可能となる。
【０１２３】
上記した実施形態では、接続判別動作で注湯動作を実施したとき、第２流路６７に設けた流量センサ７０で湯水の流量の検知動作を実施し、ドレン排水切り替えユニット４３の内部で所定の方向へ湯水が流れているか否かを判別する例を示した。しかしながら、本発明はこれに限るものではない。例えば、追い焚き流出側水温センサ３６と、ドレン排水切り替えユニット１４３に取り付けた温度センサ８０とがそれぞれ検知した温度を比較し、比較した情報に基づいて所定の方向へ湯水が流れているか否かを判別してもよい。
【０１２４】
具体的に説明すると、注湯動作を継続して実施可能な状態であり、追い焚き流出側水温センサ３６が検知した温度と、第２流路６７に取り付けた温度センサ８０が検知した温度とが同じ（略同じ）温度である場合、湯水が熱交側ポート６０と浴槽側ポート６１の間に形成されている流路（図２参照）を流れていることが判別できる。対して、注湯動作を継続して実施可能な状態であり、追い焚き流出側水温センサ３６が検知した温度が、第２流路６７に取り付けた温度センサ８０が検知した温度より高く、温度差が所定の値以上である場合、湯水が熱交側ポート６０と排水側ポート６２の間に形成されている流路（図２参照）を流れていることが判別できる。
このように、熱源機１側に取り付けた温度検知手段である追い焚き流出側水温センサ３６と、ドレン排水切り替えユニット１４３に取り付けた水温検知手段である温度センサ８０とがそれぞれ検知した温度の温度差に基づいて、ドレン排水切り替えユニット１４３に接続された配管が正しく接続されているか否かを判別してもよい。すなわち、複数の温度検知手段がそれぞれの位置で検知した温度の温度差に基づいて、湯水の流れ方向を判別してもよい。
【０１２５】
また、熱源機１側に取り付けた温度検知手段が所定以上の温度を検知した時間と、ドレン排水切り替えユニット１４３に取り付けた水温検知手段が所定以上の温度を検知した時間の時間差に基づいて、ドレン排水切り替えユニット１４３に接続された配管が正しく接続されているか否かを判別してもよい。すなわち、複数の温度検知手段がそれぞれの実施した温度検知動作の時間差に基づいて、湯水の流れ方向を判別してもよい。
【０１２６】
上記した実施形態では、ドレン排水切り替えユニット４３の熱交側ポート６０と、浴槽側ポート６１と、排水側ポート６２の形状がいずれも同形である場合について説明したが本発明はこれに限るものではない。複数のポート（３つのポート）のうち少なくとも１つのポートが他とは異なる形状であってもよい。別言すると、少なくとも１つのポートの開口形状や大きさを他のポートとは異なるものとし、このポートに対して他のポートに取り付けるための配管を接続できないようにしてもよい。
【０１２７】
例えば、ドレン排水切り替えユニットは、排水側ポートの径が他のポートの径よりも小さい構成であってもよい。このようにすると、ドレン排水切り替えユニットに対して少なくとも排水管が正しい位置へと取り付けられることとなるので、配管接続の正誤の判別を簡易化できる。つまり、上記した実施形態では、１２種類の状態（図３乃至図１４でそれぞれ示される状態）から正しい状態であるか否かを判別する必要がある。これに対して、排水管（排水管４８）が正しい位置へ取り付けられるのであれば４種類の状態（図３、図５、図９、図１１でそれぞれ示される状態）から正しい状態であるか否かを判別すればよいので配管接続の正誤の判別が容易となる。
【０１２８】
より具体的には、この場合、接続判別動作を実施し、第２流路６７に設けた流量センサ７０で湯水の流量を検知できた場合は、正しく配管が接続された状態（図３で示される状態）となり、第２流路６７に流量センサ７０で湯水の流量を検知できない場合は、誤って配管が接続された状態（図５、図９、図１１で示される状態）となる。すなわち、流量センサ７０で湯水の流量を検知可能であるか否かを判別するだけで配管接続の正誤を判別可能となるので、湯水の流れを直接目視することなく配管接続の正誤が判別可能となる。このことにより、配管接続の正誤の判別をより簡易化できる。
【０１２９】
上記した第２の接続判別動作では、第１の動作において温度センサ８０によって湯水の温度が検知されること、第１の動作において浴槽１６へ湯水が排出される状態であること、さらに第２の動作において注湯動作を継続して実施可能な状態であることから、配管が正しく接続されたものと判別した。しかしながら、第２の接続判別動作における配管接続の正誤の判別はこれに限るものではない。例えば、配管が正しく接続されたものと判別する条件として、上記条件に加えて、第２の動作において温度センサ８０によって湯水の温度が検知できないことを加えてもよい。
【符号の説明】
【０１３０】
１  熱源機
３ａ  バーナ
６  二次熱交換器（熱交換器）
１６  浴槽
３３  風呂戻り管
３４  風呂往き管
３６  追い焚き流出側水温センサ（熱源機側温度検知手段）
４３，１４３  ドレン排水切り替えユニット
６０  熱交側ポート（配管取付部）
６１  浴槽側ポート（配管取付部）
６２  排水側ポート（配管取付部）
７０  流量センサ（水流検知手段）
８０  温度センサ（水温検知手段）
【図１】
2014044033.tif 000003
【図２】
2014044033.tif 000004
【図３】
2014044033.tif 000005
【図４】
2014044033.tif 000006
【図５】
2014044033.tif 000007
【図６】
2014044033.tif 000008
【図７】
2014044033.tif 000009
【図８】
2014044033.tif 000010
【図９】
2014044033.tif 000011
【図１０】
2014044033.tif 000012
【図１１】
2014044033.tif 000013
【図１２】
2014044033.tif 000014
【図１３】
2014044033.tif 000015
【図１４】
2014044033.tif 000016
【図１５】
2014044033.tif 000017
【図１６】
2014044033.tif 000018